(57)【要約】【課題】個人の振り姿勢および習慣の重心位置に基づき、より好ましい重心方位を設定可能なゴルフクラブのヘッドの配重調整構造の提供。【解決手段】本発明は、ゴルフクラブのヘッドの本体の間に、３６０°回転のできる回転盤を組み立て、前記回転盤の何れかの側周辺に非完全な環状配重ブロックと結合することにより、回転盤と配重ブロックが、その配重方位の調整できる回転盤組立体を構成し、前記ゴルフクラブのヘッドの本体の間に組み立てられて配重を具する回転盤組立体に対し、３６０°相違重量分布を調整でき、個人の振り姿勢および習慣の重心位置に基づき、より好ましい重心方位を設定するものである。【選択図】図１
2009172130.tif 000002
【特許請求の範囲】
【請求項１】
ゴルフクラブのヘッドの配重調整構造であって、
ゴルフクラブのヘッドと一つの配重ブロックを含み、
前記ゴルフクラブのヘッドの本体の間に、３６０°回転可能な回転盤を組み立ててあり、
前記回転盤の何れかの一側の周辺に配重ブロックが結合され、該回転盤と配重ブロックとで、配重方位を調整可能な回転盤組立体を構成し、
前記回転盤組立体が、前記ゴルフクラブのヘッドの本体の間に組み立てられて３６０°重量分布を調整でき、
個人の振り姿勢および習慣の重心位置に基づき、より好ましい重心方位を設定できることを特徴とする、
ゴルフクラブのヘッドの配重調整構造。
【請求項２】
前記回転盤組立体は、方位を調整する時に一つの位置決めブロック組立体により規制され、
前記位置決めブロック組立体は、位置決めブロックの一側より延伸する支柱により、上頂を常に保持する弾力シートと結合し、
前記支柱は、クラブのヘッドの主体を突き抜け、一つのＣ形状係合具により方位を規制し、
位置決めブロックの周辺から突出する係合段部は、前記回転盤の底部周辺に分布して凹設された条溝に突出あるいは脱離することができ、
前記位置決めブロックの一端の係合段部を、前記回転盤の底部に分布された条溝の間に突出させることにより、前記回転盤組立体が位置決め状態を呈し、
前記回転盤に対し方位を調整する必要がある時に、位置決めブロックを押圧することにより、配重を具する回転盤の底部に分布された条溝から、その間に突き出す係合段部を脱離し、自由状態を形成することを特徴とする、
請求項１に記載のゴルフクラブのヘッドの配重調整構造。
【請求項３】
前記回転盤組立体は、方位を調整する時に、一つの位置決めブロック組立体により規制され、
前記位置決めブロック組立体が、位置決めブロックの一端に設けた係止段部により、異なるピッチを有する段差部を突き抜けて、内頂を常に保持する弾力シートと結合し、
前記係止段部がクラブのヘッドの主体の側周辺を突き抜けて、且つ一つのＣ形状係合具にて方位を規制することにより、前記係止段部は、前記回転盤の周辺に分布して凹設された穴の間に突出あるいは脱離することができ、
前記係止段部を、前記回転盤の周辺に分布された穴の間に突出させることにより、前記回転盤組立体が位置決め状態を呈し、
前記回転盤に対し方位を調整する必要がある時に、弾性内頂を具える位置決めブロックを回転させることにより、その間に結合された異なるピッチの前記段差部が最低のピッチまで移動し、前記位置決めブロックの区切りの係止段部が、配重を具する回転盤の周辺に分布された穴を脱離し、自由状態を形成することを特徴とする、
請求項１に記載のゴルフクラブのヘッドの配重調整構造。
【請求項４】
前記回転盤組立体は、方位を調整する時に、一つの位置決めブロックにより規制され、位置決めブロックの一端のボルト段部がクラブのヘッドの主体の側周辺を直接突き抜けることにより、前記位置決めブロックの区切りのボルト段部は、前記配重を具する回転盤の周辺に分布されたスクリュー穴の間に螺入あるいは退出させることができ、
前記ボルト段部を、前記回転盤の周辺に分布されたスクリュー穴の中に螺入させることにより、前記回転盤組立体が位置決め状態を呈し、前記回転盤に対し方位を調整する必要がある時に、ツールにて位置決めブロックを回転して退出させて、前記ボルト段部が、配重を具する回転盤の周辺に分布されたスクリュー穴から脱離することによって自由状態を形成することを特徴とする、
請求項１に記載のゴルフクラブのヘッドの配重調整構造。
【請求項５】
前記回転盤組立体は、その上端が一つの上本体を被覆して設置できることにより、全体のゴルフクラブのヘッドが装飾可能な頂側面を具えるように設置されることを特徴とする、
請求項１に記載のゴルフクラブのヘッドの配重調整構造。
【請求項６】
前記ゴルフクラブのヘッドの本体の間に、一区切りの支持管段が突設されることにより、一つの螺着素子に対応し、軸パッドと結合した後に、前記回転盤組立体がその間に突き抜けて組み立てることにより、前記回転盤組立体は、ピン接合状態を呈することができることを特徴とする、
請求項１に記載のゴルフクラブのヘッドの配重調整構造。
【請求項７】
前記ゴルフクラブのヘッドの本体間の一側が一つの穴を具えるように凹設されることにより、一つのスプリングと円珠がその間に嵌設でき、
前記回転盤の底部の環状周辺に対し、多数の凹穴が分布され、
前記円珠は、前記本体の穴の間に嵌設されて上頂を常に保持し、前記回転盤の底部の凹穴の間に弾性的に押し付けられて、位置決めする時に補助の位置決めとなることを特徴とする、
請求項１に記載のゴルフクラブのヘッドの配重調整構造。
【発明の詳細な説明】
【技術分野】
【０００１】
本発明は、ゴルフクラブのヘッドの配重調整（ウエイト調整）構造を提供するもので、ゴルフクラブのヘッドの間にはその配重方位を調整するように３６０°回転ができるゴルフクラブのヘッド組立体を組み立てることにより、個人の振り姿勢および習慣の重心位置に適合な設計を設定する。
【背景技術】
【０００２】
ゴルフクラブのヘッドに応用され且つ使用時に交換可能なクラブのヘッド間の配重方位の達成するために、ゴルフクラブ業界は、個人の振り姿勢および習慣の重心位置に適合な設計を設定し、前記ゴルフクラブのヘッドを製造時に、ゴルフクラブのヘッドの底部に外裸タイプによる配重ブロックが組み立てられた。
前記配重ブロックの設置にて、ゴルフクラブのヘッドが配重方位の調整を具することにより、配重ブロックの配重位置を交換できるため、個人の振り姿勢および習慣に基づき、より好ましい重心を決める。
但し、前記ゴルフクラブのヘッドの間に組み立てられた配重ブロックに対し、クラブのヘッドの底部に直接に裸出するので、クラブのヘッドが外観造形上では、美観性に欠けるという問題が生じていた。
【発明の開示】
【発明が解決しようとする課題】
【０００３】
本発明は、ゴルフクラブのヘッドの間に組み立てられた配重ブロック組立体に基づき、組み立てが改良されることにより、前記ゴルフクラブのヘッドの間には、その配重方位を調整するように３６０°回転ができるゴルフクラブのヘッド組立体を組み立て、個人の振り姿勢および習慣の重心位置に適合な設計を設定することを期待する。
【課題を解決するための手段】
【０００４】
すなわち、本願の第１発明は、ゴルフクラブのヘッドの配重調整構造であって、ゴルフクラブのヘッドと一つの配重ブロックを含み、前記ゴルフクラブのヘッドの本体の間に、３６０°回転可能な回転盤を組み立ててあり、前記回転盤の何れかの一側の周辺に配重ブロックが結合され、該回転盤と配重ブロックとで、配重方位を調整可能な回転盤組立体を構成し、前記回転盤組立体が、前記ゴルフクラブのヘッドの本体の間に組み立てられて３６０°相違重量分布を調整可能に構成したことを特徴とする、ゴルフクラブのヘッドの配重調整構造であることを要旨としている。
【０００５】
また、本願の第２発明は、前記回転盤組立体は、方位を調整する時に一つの位置決めブロック組立体により規制され、前記位置決めブロック組立体は、位置決めブロックの一側より延伸する支柱により、上頂を常に保持する弾力シートと結合し、前記支柱は、クラブのヘッドの主体を突き抜け、一つのＣ形状係合具により方位を規制し、位置決めブロックの周辺から突出する係合段部は、前記回転盤の底部周辺に分布して凹設された条溝に突出あるいは脱離することができ、前記位置決めブロックの一端の係合段部を、前記回転盤の底部に分布された条溝の間に突出させることにより、前記回転盤組立体が位置決め状態を呈し、前記回転盤に対し方位を調整する必要がある時に、位置決めブロックを押圧することにより、配重を具する回転盤の底部に分布された条溝から、その間に突き出す係合段部を脱離し、自由状態を形成することを特徴とする、第１発明に記載のゴルフクラブのヘッドの配重調整構造であることを要旨としている。
【０００６】
また、本願の第３発明は、前記回転盤組立体は、方位を調整する時に、一つの位置決めブロック組立体により規制され、前記位置決めブロック組立体が、位置決めブロックの一端に設けた係止段部により、異なるピッチを有する段差部を突き抜けて、内頂を常に保持する弾力シートと結合し、前記係止段部がクラブのヘッドの主体の側周辺を突き抜けて、且つ一つのＣ形状係合具にて方位を規制することにより、前記係止段部は、前記回転盤の周辺に分布して凹設された穴の間に突出あるいは脱離することができ、前記係止段部を、前記回転盤の周辺に分布された穴の間に突出させることにより、前記回転盤組立体が位置決め状態を呈し、前記回転盤に対し方位を調整する必要がある時に、弾性内頂を具える位置決めブロックを回転させることにより、その間に結合された異なるピッチの前記段差部が最低のピッチまで移動し、前記位置決めブロックの区切りの係止段部が、配重を具する回転盤の周辺に分布された穴を脱離し、自由状態を形成することを特徴とする、第１発明に記載のゴルフクラブのヘッドの配重調整構造であることを要旨としている。
【０００７】
また、本願の第４発明は、前記回転盤組立体は、方位を調整する時に、一つの位置決めブロックにより規制され、位置決めブロックの一端のボルト段部がクラブのヘッドの主体の側周辺を直接突き抜けることにより、前記位置決めブロックの区切りのボルト段部は、前記配重を具する回転盤の周辺に分布されたスクリュー穴の間に螺入あるいは退出させることができ、前記ボルト段部を、前記回転盤の周辺に分布されたスクリュー穴の中に螺入させることにより、前記回転盤組立体が位置決め状態を呈し、前記回転盤に対し方位を調整する必要がある時に、ツールにて位置決めブロックを回転して退出させて、前記ボルト段部が、配重を具する回転盤の周辺に分布されたスクリュー穴から脱離することによって自由状態を形成することを特徴とする、第１発明に記載のゴルフクラブのヘッドの配重調整構造であることを要旨としている。
【０００８】
また、本願の第５発明は、前記回転盤組立体は、その上端が一つの上本体を被覆して設置できることにより、全体のゴルフクラブのヘッドが装飾可能な頂側面を具えるように設置されることを特徴とする、第１発明に記載のゴルフクラブのヘッドの配重調整構造であることを要旨としている。
【０００９】
また、本願の第６発明は、前記ゴルフクラブのヘッドの本体の間に、一区切りの支持管段が突設されることにより、一つの螺着素子に対応し、軸パッドと結合した後に、前記回転盤組立体がその間に突き抜けて組み立てることにより、前記回転盤組立体は、ピン接合状態を呈することができることを特徴とする、第１発明に記載のゴルフクラブのヘッドの配重調整構造であることを要旨としている。
【００１０】
また、本願の第７発明は、前記ゴルフクラブのヘッドの本体間の一側が一つの穴を具えるように凹設されることにより、一つのスプリングと円珠がその間に嵌設でき、前記回転盤の底部の環状周辺に対し、多数の凹穴が分布され、前記円珠は、前記本体の穴の間に嵌設されて上頂を常に保持し、前記回転盤の底部の凹穴の間に弾性的に押し付けられて、位置決めする時に補助の位置決めとなることを特徴とする、第１発明に記載のゴルフクラブのヘッドの配重調整構造であることを要旨としている。
【発明の効果】
【００１１】
以上の設計によるゴルフクラブのヘッドの間に組み立てられて配重を具する回転盤組立体は、下記の利点を具する。
【００１２】
（１）配重ブロックと結合する回転盤組立体に対し、個人の振り姿勢および習慣の重心位置に基づき、３６０°で重量分布の方位を調整できる。
【００１３】
（２）ゴルフクラブのヘッドの本体の間に組み立てられて配重を具する回転盤組立体の方位を、規制する前記位置決めブロック組立体として、簡単な実施を介して確実な方位を達成し、実施を係止し、或いは脱離できる。
【００１４】
（３）更にゴルフクラブのヘッドの本体間の配重を具する回転盤組立体の方位の規制に対し、同時に本体の間に組み立てられて上頂を常に保持する円珠により、配重を具する前記回転盤の底部の相応な方位の凹穴に弾性的に押し付けることにより、配重を具する前記回転盤組立体は、位置決めする時に補助の位置決めを具する。
【発明を実施するための最良の形態】
【００１５】
本発明による設計されたゴルフクラブのヘッドの配重調整構造（図２、３を参照）は、一つの本体（１）、一つの回転盤（２）、一つの配重ブロック（３）、一つの上本体（４）と一つの位置決めブロック組立体（５）を含有してなる。
その中でも、本体（１）は、その間に一区切りの支持管段（１１）が突設され、更に本体（１）の一側に一つの穴（１２）を具するように凹設されることにより、一つのスプリング（１３）と円珠（１４）がその間に嵌設でき（例えば図４のＡ−Ａ断面詳細図）、同時に本体（１）の外寄りの底側に一つの凹部（１５）が形成されることにより、位置決めブロック組立体（５）をその間に収容するように許容する。
【００１６】
回転盤（２）は、その中心方位に一つの孔（２１）が開設されることにより、螺着素子（２２）が軸パッド（２３）と結合した後に、前記回転盤（２）をより突き抜けてその間に組み立てられる。
さらに、螺着素子（２２）の一端が本体（１）の間に突設された前記区切りの支持管段（１１）に螺入できるが（例えば図４のＡ−Ａ断面詳細図）、回転盤（２）の底部の環状周辺に多数の凹穴（２４）が分布されている（図３を参照）。
また、夫々の凹穴（２４）に沿って条溝（２５）が外向きに開設されてあり、同時に回転盤（２）の何れかの側に環凹溝（２６）が形成されることにより、非完全な環状配重ブロック（３）がその間に結合するように許容し（ここに回転盤の底部を実施し、前記配重ブロックと回転盤の結合方式に対し、位置決めを被覆し、或いはバインダーにより位置決めして一体化することができ）、更に回転盤（２）の頂側周辺に３６０°目盛り（２７）を設置できることにより、ユーザーが調整する時に目視できるるように寄与している。
【００１７】
上本体（４）は、その底部に弧形様態の条溝（４１）が凹設されることにより、回転盤（２）の組み立て時に、その間に収容し且つ前記上本体（４）の条溝（４１）の中心方位に一つの凹部（４２）が形成できるように許容することにより、螺着素子（２２）のボルト段部に嵌設された軸パッド（２３）に対応し、組み立て時にその間に収容できる。
【００１８】
位置決めブロック組立体（５）は、位置決めブロック（５１）の一側より伸ばし出す一区切りの支柱（５２）により、上頂を常に保持する弾力シートと結合し、前記位置決めブロック（５１）が組み立てる時に本体（１）の底部の凹部（１５）の間に入れ（例えば図４のＡ−Ａ断面詳細図）、位置決めブロック（５１）の支柱（５２）がクラブのヘッドの主体（１）を突き抜けて込み、且つ一つのＣ形状係合具（５４）により方位を規制し、同時に位置決めブロック（５１）の周辺に作用側へ向いて係合段部（５５）を突き出すことにより、組み立てる時に、一側に配重ブロック（３）と結合する回転盤（２）の底部周辺には凹穴（２４）を外向きに分布する条溝（２５）の間に突っ込む（突出）或いは脱離される。
【００１９】
ゴルフクラブのヘッドに対し組立を実施すると（図４、５を参照）、螺着素子（２２）により軸パッド（２３）と結合した後に、一側に配重ブロック（３）と結合する回転盤（２）の中心孔（２１）を突き抜けて出て、且つ螺着素子（２２）の一端が本体（１）間に突設された前記区切りの支持管段（１１）の間に螺入される（例えば図４のＡ−Ａ断面詳細図）。
更に本体（１）の穴（１２）の間に嵌設されて上頂を常に保持する円珠（１４）に対し、相応な方位に配重ブロック（３）を具する前記回転盤（２）の底部の凹穴（２４）の間に弾性的に押し付けることができることにより、前記配重を具する回転盤（２）の組立体が、位置決めする時に補助の位置決めが可能となる。
また、位置決めブロック（５１）の一側の支柱（５２）にて、上頂を常に保持する弾力シート（５３）と結合することにより、前記位置決めブロック（５１）は、本体（１）の底側の凹部（１５）の間に穏やかに差し入れることができ（例えば図４のＡ−Ａ断面詳細図）、位置決めブロック（５１）の支柱（５２）がクラブのヘッドの主体（１）を突き抜けて込み、且つ一つのＣ形状係合具（５４）に対応して方位をより規制し、同時に位置決めブロック（５１）に対して作用側へ向いて突き出す係合段部（５５）は、一側に配重ブロック（３）と結合する回転盤（２）の底部周辺には凹穴（２４）を外向きに分布する条溝（２５）の間に突っ込む（突出）或いは脱離することができ、その後に一つの上本体（４）にて本体（１）の相応な周辺を被覆することにより、配重ブロック（３）と結合する回転盤（２）を部分的に遮蔽する（図４を参照）。
更に上本体（４）と本体（１）との寄り添いの周辺をより位置決めして一体化するが（ここにバインダー結合方式を介して実施でき）、これにより、即ち３６０°相違重量分布の調整できるゴルフクラブのヘッド（６）を構成できる（例えば図１のゴルフクラブのヘッドの一側に一つのクラブをより結合できる）。
【００２０】
ゴルフクラブのヘッド（６）の間に組立てられた前記位置決めブロック組立体（５）に対し、普段に位置決めブロック（５１）の一端の係合段部（５５）は、配重を具する回転盤（２）の底部には凹穴（２４）を外向きに分布する条溝（２５）の間に突っ込むことができる（例えば図４のＡ−Ａ断面詳細図）。
これにより、配重を具する回転盤（２）の組立体が位置決め状態を呈するが、更に配重を具する回転盤（２）の組立体に対し方位を調整する必要がある時に（図５を参照）、手動にて弾性の具する位置決めブロック（５１）を押圧することにより、その間に突き出す係合段部（５５）を上移し（例えば図５のＢ−Ｂ断面詳細図）、そして配重を具する回転盤（２）の底部には凹穴（２４）を外向きに分布する条溝（２５）を脱離し、自由状態を形成する。
ユーザーは、前記配重を具する回転盤（２）の組立体に対し、個人の振り姿勢および習慣の重心位置に基づき、より好ましい重心方位を設定できる。
【００２１】
更に本発明による設計されたゴルフクラブのヘッドの配重調整構造その２の実施例も（図６を参照）、一つの本体（１ａ）、一つの回転盤（２ａ）、一つの配重ブロック（３ａ）、一つの上本体（４）と一つの位置決めブロック組立体（５ａ）を含有してなる。その中でも、前述の部材に対する形態は、第１の実施例の設置に近似し、その相違が下記の通りである。
【００２２】
本体（１ａ）の外寄りの一側周辺に一つの孔（２１）が開設されることにより、位置決めブロック組立体（５ａ）は、その間に突き抜けることができるように許容する。
【００２３】
回転盤（２ａ）は、その下寄りの段落の周辺に一区切りの環溝（２８）が凹設され、且つその層面に沿って多数の穴（２８１）が分布して凹設し（例えば図７のＣ−Ｃ断面詳細図）、同時に回転盤（２ａ）の何れかの側周辺に非完全な環状欠け口（２９）を切り欠けることにより、合致する配重ブロック（３ａ）をその間に結合するように許容し、前記回転盤（２ａ）で上向きに凹設されたスペース（２９１）は、装飾性作用を具するパネル（２９２）を、組み立てることができる。
【００２４】
位置決めブロック組立体（５ａ）は、位置決めブロック（５６）の一端の係止段部（５６１）により、異なるピッチを具する段差部（５７）を突き抜け、且つ内頂を常に保持する弾力シート（５８）と結合しする。
位置決めブロック（５６）の係止段部（５６１）がクラブのヘッドの主体（１ａ）の側周辺の孔（１７）を突き抜けて込み、且つ一つのＣ形状係合具（５４）に対応して方位をより規制できることにより（例えば図７のＣ−Ｃ断面詳細図）、前記位置決めブロック（５６）の区切りの係止段部（５６１）は、一側に配重ブロック（３ａ）と結合する回転盤（２ａ）の周辺には分布して凹設する穴（２８１）の間に突っ込む（突出）或いは脱離することができる。
【００２５】
前述の本体（１ａ）に対し螺着素子（２２）を介して軸パッド（２３）を嵌設した後に、その間の支持管段（１１）の間には、配重ブロック（３ａ）と結合する回転盤（２ａ）をより組み立て（例えば図７）、同時に位置決めブロック組立体（５ａ）は、本体（１ａ）の外寄りの一側の孔（１７）に組み立てられて入り込み、前記位置決めブロック組立体（５ａ）が、普段に位置決めブロック（５６）の係止段部（５６１）を、配重ブロック（３ａ）の具する回転盤（２ａ）の周辺に分布された穴（２８１）の間に突っ込む（突出する）ことができる（例えば図７のＣ−Ｃ断面詳細図）。これにより、配重を具する回転盤（２ａ）の組立体が位置決め状態を呈する。
更に配重ブロック（３ａ）を具する回転盤（２ａ）に対し方位を調整する必要がある時に（図８を参照）、ツールにて弾性内頂の具する位置決めブロック（５６）を回転することにより、その間に結合されて異なるピッチの前記段差部（５７）が最低のピッチまでに変換し（例えば図８のＤ−Ｄ断面詳細図）、前記位置決めブロック（５６）の区切りの係止段部（５６１）が、配重を具する回転盤（２ａ）の周辺に分布された穴（２８１）を脱離し、自由状態を形成する。
【００２６】
更に本発明による設計されたゴルフクラブのヘッドの配重調整構造その３の実施例は（図９を参照）、前述の実施例と同様に一つの本体（１ａ）、一つの回転盤（２ａ）、一つの配重ブロック（３ａ）、一つの上本体（４）と一つの位置決めブロック組立体（５９）を含有してなる。
その中でも、前記部材に対する形態は、第２の実施例の設置に近似するが、その間の相違は、一側に配重ブロック（３ａ）と結合する回転盤（２ｂ）に対し、その下寄りの段落に凹設された環溝（２８）が、前記層面に沿って多数のスクリュー穴（２８２）が分布するものである（例えば図１０のＦ−Ｆ断面詳細図）。
【００２７】
前述の本体（１ａ）に対し螺着素子（２２）を介して軸パッド（２３）を嵌設した後に、その間の支持管段（１１）の間には、配重ブロック（３ａ）と結合する回転盤（２ｂ）をより組み立て（例えば図１０）、更に位置決めブロック（５９）の一端のボルト段部（５９１）がクラブのヘッドの主体（１ａ）の側周辺の孔（１７）を直接に突き抜けてあることにより、前記位置決めブロック（５９）の区切りのボルト段部（５９１）は、一側に配重ブロック（３ａ）と結合する前記回転盤（２ｂ）の周辺には分布されたスクリュー穴（２８２）の間に螺入（退出）することができ（例えば図１０のＥ−Ｅ断面詳細図）る。
また、前記位置決めブロック（５９）にて普段にそのボルト段部（５９１）を、配重の具する回転盤（２ｂ）の周辺のスクリュー穴（２８２）の内に螺入することにより、前記配重を具する回転盤（２ｂ）の組立体が位置決め状態を呈し、更に配重を具する回転盤（２ｂ）に対し方位を調整する必要がある時に、ツールにて位置決めブロック（５９）を回転して退出することにより、前記区切りのボルト段部（５９１）が、配重を具する回転盤（２ｂ）の周辺に分布されたクリュー穴（２８２）を脱離し、自由状態を形成する。
【図面の簡単な説明】
【００２８】
【図１】本発明のゴルフクラブのヘッドの組立体の外観図である。
【図２】本発明のゴルフクラブのヘッドその１の実施例の部材分解斜視図である。
【図３】本発明のゴルフクラブのヘッドその１の実施例の逆方向の部材分解斜視図である。
【図４】本発明のゴルフクラブのヘッドその１の実施例の回転盤組立体が位置決め状態を呈する平面図および側断面図である。
【図５】本発明のゴルフクラブのヘッドその１の実施例の回転盤組立体が自由状態を呈する平面図および側断面図である。
【図６】本発明のゴルフクラブのヘッドその２の実施例の部材分解斜視図である。
【図７】本発明のゴルフクラブのヘッドその２の実施例の回転盤組立体が位置決め状態を呈する平面図および側断面図である。
【図８】本発明のゴルフクラブのヘッドその２の実施例の回転盤組立体が自由状態を呈する平面図および側断面図である。
【図９】本発明のゴルフクラブのヘッドその３の実施例の部材分解斜視図である。
【図１０】本発明のゴルフクラブのヘッドその３の実施例の回転盤組立体が位置決め状態を呈する平面図および側断面図である。
【符号の説明】
【００２９】
１、１ａ          本体
２、２ａ、２ｂ    回転盤
３、３ａ          配重ブロック
４                上本体
５、５ａ          位置決めブロック組立体
６                ゴルフクラブのヘッド
１１              支持管段
１２、２８１      穴
１３              スプリング
１４              円珠
１５、４２        凹部
１６、１７、２１  孔
２２              螺着素子
２３              軸パッド
２４              凹穴
２５              条溝
２６              環凹溝
２７              目盛り
２８              環溝
２９              欠け口
４１              条溝
５１、５６、５９  位置決めブロック
５２              支柱
５３、５８        弾力シート
５４              Ｃ形状係合具
５５              係合段部
５７              段差
２８２            スクリュー穴
２９１            スペース
２９２            パネル
５６１            係止段部
５９１            ボルト段部
【図１】
2009172130.tif 000003
【図２】
2009172130.tif 000004
【図３】
2009172130.tif 000005
【図４】
2009172130.tif 000006
【図５】
2009172130.tif 000007
【図６】
2009172130.tif 000008
【図７】
2009172130.tif 000009
【図８】
2009172130.tif 000010
【図９】
2009172130.tif 000011
【図１０】
2009172130.tif 000012